(57)【要約】【課題】流路を流れる流体への紫外光の照射効率を高めて殺菌能力を向上させる。【解決手段】流体殺菌装置１０は、長手方向に延びる流路１２を構成する直管２０と、流路１２を層流状態で流れる流体に向けて長手方向に紫外光を照射する光源４０と、を備える。光源４０は、紫外光を発する発光素子４２を有し、長手方向と直交する流路の断面において中央付近の紫外光強度がその周囲の紫外光強度よりも高い強度分布となるように紫外光を照射する。【選択図】図１
2017074114.tif 000002
【特許請求の範囲】
【請求項１】
長手方向に延びる流路を構成する直管と、
前記流路を層流状態で流れる流体に向けて前記長手方向に紫外光を照射する光源と、を備え、
前記光源は、紫外光を発する発光素子を有し、前記長手方向と直交する前記流路の断面において中央付近の紫外光強度がその周囲の紫外光強度よりも高い強度分布となるように紫外光を照射することを特徴とする流体殺菌装置。
【請求項２】
前記直管は、前記長手方向に流体を流入させる流入口が設けられる第１端部と、前記第１端部と反対側の第２端部と、を有し、
前記光源は、前記第２端部に配置されることを特徴とする請求項１に記載の流体殺菌装置。
【請求項３】
前記光源および前記流入口は、前記直管の中心軸上に配置されることを特徴とする請求項２に記載の流体殺菌装置。
【請求項４】
前記直管は、前記第２端部に設けられ、前記長手方向と交差する方向に流体を流出させる流出口を有することを特徴とする請求項２または３に記載の流体殺菌装置。
【請求項５】
前記直管は、前記第２端部に設けられ、前記長手方向に流体を流出させる流出口を有し、
前記光源は、前記流出口を囲むように配置される複数の発光素子を有し、
前記複数の発光素子は、前記流路を流れる流体に向けて前記長手方向に紫外光を照射することを特徴とする請求項２に記載の流体殺菌装置。
【請求項６】
前記流路を流れる流体を層流化するための整流板をさらに備えることを特徴とする請求項１から５のいずれか一項に記載の流体殺菌装置。
【請求項７】
長手方向に延びる流路を構成する直管の内部に層流状態の流体の流れを作りながら、前記長手方向と直交する前記流路の断面において中央付近の紫外光強度がその周囲の紫外光強度よりも高い強度分布となるように前記流路を層流状態で流れる流体に向けて前記長手方向に紫外光を照射することを特徴とする流体殺菌方法。
【発明の詳細な説明】
【技術分野】
【０００１】
本発明は、流体殺菌装置および流体殺菌方法に関し、特に、紫外光を照射して流体を殺菌する技術に関する。
【背景技術】
【０００２】
紫外光には殺菌能力があることが知られており、医療や食品加工の現場などでの殺菌処理に紫外光を照射する装置が用いられている。また、水などの流体に紫外光を照射することで、流体を連続的に殺菌する装置も用いられている。このような装置として、例えば、直管状の金属パイプで形成される流路の管端部内壁に紫外線ＬＥＤを配置した装置が挙げられる（例えば、特許文献１参照）。
【先行技術文献】
【特許文献】
【０００３】
【特許文献１】特開２０１１−１６０７４号公報
【発明の概要】
【発明が解決しようとする課題】
【０００４】
流体に高効率で紫外光を照射するためには、流路内の流体の流れの状態を適切に制御するとともに、流れの状態に適した態様で紫外光を照射することが望ましい。
【０００５】
本発明はこうした課題に鑑みてなされたものであり、その例示的な目的のひとつは、流路を流れる流体への紫外光の照射効率を高めた流体殺菌装置を提供することにある。
【課題を解決するための手段】
【０００６】
本発明のある態様の流体殺菌装置は、長手方向に延びる流路を構成する直管と、流路を層流状態で流れる流体に向けて長手方向に紫外光を照射する光源と、を備える。光源は、紫外光を発する発光素子を有し、長手方向と直交する流路の断面において中央付近の紫外光強度がその周囲の紫外光強度よりも高い強度分布となるように紫外光を照射する。
【０００７】
この態様によると、層流状態で流れる流体に紫外光を照射するため、乱流状態の流体に紫外光を照射する場合と比べて殺菌効率を高めることができる。本発明者らの知見により、直管状の流路内に紫外光を照射して殺菌処理をする場合、乱流状態とするよりも層流状態とする方が約７倍の殺菌効率が得られることがわかっている。また、層流状態の流体は、中央付近の流速が速く、管内壁付近の流速が遅い速度分布を有しているため、その速度分布に対応させて中央付近の紫外光強度を高めることで、流路内を流れる流体に効果的に紫外光を照射して殺菌効率を向上させることができる。
【０００８】
直管は、長手方向に流体を流入させる流入口が設けられる第１端部と、第１端部と反対側の第２端部と、を有してもよい。光源は、第２端部に配置されてもよい。
【０００９】
光源および流入口は、直管の中心軸上に配置されてもよい。
【００１０】
直管は、第２端部に設けられ、長手方向と交差する方向に流体を流出させる流出口を有してもよい。
【００１１】
直管は、第２端部に設けられ、長手方向に流体を流出させる流出口を有してもよい。光源は、流出口を囲むように配置される複数の発光素子を有してもよい。複数の発光素子は、流路を流れる流体に向けて長手方向に紫外光を照射してもよい。
【００１２】
流路を流れる流体を層流化するための整流板をさらに備えてもよい。
【００１３】
本発明の別の態様は、流体殺菌方法である。この方法は、長手方向に延びる流路を構成する直管の内部に層流状態の流体の流れを作りながら、長手方向と直交する流路の断面において中央付近の紫外光強度がその周囲の紫外光強度よりも高い強度分布となるように流路を層流状態で流れる流体に向けて長手方向に紫外光を照射する。
【００１４】
この態様によると、層流状態で流れる流体に紫外光を照射するため、乱流状態の流体に紫外光を照射する場合と比べて殺菌効率を高めることができる。また、層流状態の流体は、中央付近の流速が速く、管内壁付近の流速が遅い速度分布を有しているため、その速度分布に対応させて中央付近の紫外光強度を高めることで、流路内を流れる流体に効果的に紫外光を照射して殺菌効率を向上させることができる。
【発明の効果】
【００１５】
本発明によれば、流路を流れる流体への紫外光の照射効率を高めて殺菌能力を向上させることができる。
【図面の簡単な説明】
【００１６】
【図１】第１の実施の形態に係る流体殺菌装置の構成を概略的に示す断面図である。
【図２】流路内の紫外光強度分布を示すコンター図である。
【図３】乱流状態の流体の速度分布を示すコンター図である。
【図４】層流状態の流体の速度分布を示すコンター図である。
【図５】変形例に係る光源の構成を概略的に示す正面図である。
【図６】第２の実施の形態に係る流体殺菌装置の構成を概略的に示す断面図である。
【図７】図６の流体殺菌装置の構成を概略的に示す断面図である。
【発明を実施するための形態】
【００１７】
以下、図面を参照しながら、本発明を実施するための形態について詳細に説明する。なお、説明において同一の要素には同一の符号を付し、重複する説明を適宜省略する。
【００１８】
（第１の実施の形態）
図１は、第１の実施の形態に係る流体殺菌装置１０の構成を概略的に示す図である。流体殺菌装置１０は、直管２０と、流出管３０と、光源４０とを備える。光源４０は、直管２０の端部（第２端部２２）に配置され、直管２０の内部に向けて紫外光を照射する。流体殺菌装置１０は、直管２０の内部を流れる水などの流体に紫外光を照射して殺菌処理を施すために用いられる。
【００１９】
直管２０は、第１端部２１と、第２端部２２と、第１フランジ２６と、窓部２８とを有する。直管２０は、第１端部２１から第２端部２２に向けて長手方向に延在する。第１端部２１には、直管２０の長手方向に流体を流入させる流入口２３と、流入口２３を他の配管等に接続するための第１フランジ２６が設けられる。第２端部２２には、光源４０からの紫外光を透過させるための窓部２８が設けられる。窓部２８は、石英（ＳｉＯ２）やサファイア（Ａｌ２Ｏ３）、非晶質のフッ素系樹脂などの紫外光の透過率が高い部材で構成される。
【００２０】
第２端部２２には、直管２０の長手方向と交差する方向または直交する方向に流体を流出させる流出口２４が設けられる。流出口２４は、直管２０の側壁に設けられ、流出口２４には、流出管３０が取り付けられている。流出管３０は、一端が流出口２４に取り付けられ、他端に第２フランジ３２が設けられる。したがって、直管２０および流出管３０は、Ｌ字状の流路１２を形成する。第１フランジ２６から流入する流体は、流入口２３、直管２０、流出口２４および流出管３０を通って第２フランジ３２から流出する。
【００２１】
直管２０および流出管３０は、金属材料や樹脂材料で構成される。直管２０の内壁面２０ａは、紫外光の反射率が高い材料で構成されることが望ましく、例えば、鏡面研磨されたアルミニウム（Ａｌ）や、全フッ素化樹脂であるポリテトラフルオロエチレン（ＰＴＦＥ）で構成される。これらの材料で直管２０の内壁面２０ａを構成することで、光源４０が発する紫外光を内壁面２０ａで反射させて直管２０の長手方向に紫外光を伝搬させることができる。なお、ＰＴＦＥは、化学的に安定した材料であり、紫外光の反射率が高い材料であるため、流体殺菌装置の流路を構成する直管２０の材料として好適である。
【００２２】
直管２０の内径ｄおよび流路１２を流れる流体の平均流速ｖは、流路１２を流れる流体が層流状態となるように調整される。具体的には、流路１２のレイノルズ数Ｒｅが層流状態の臨界レイノルズ数以下となるように、Ｒｅ＝ｖ・ｄ／ν（ν：流体の動粘性係数）の式を用いて内径ｄおよび平均流速ｖが調整される。臨界レイノルズ数以下の値とは、例えば、レイノルズ数Ｒｅが３０００以下であり、好ましくは２５００以下であり、さらに好ましくは２３２０以下である。また、流入口２３から流路１２に長手方向に流体を流入させることにより、第２端部２２に向かって流体が層流状態で流れるようにする。流体が層流状態で流れる場合、直管２０の中心軸の近傍を流れる流体の流速ｖ１が相対的に速く、直管２０の内壁面２０ａの近傍を流れる流体の流速ｖ２が相対的に遅い流速分布となる。理想的な層流状態である場合、流路１２を流れる流体は、回転放物面の式で表される速度分布となる。
【００２３】
光源４０は、発光素子４２と、基板４４とを有する。発光素子４２は、紫外光を発するＬＥＤ（Light Emitting Diode）であり、その中心波長またはピーク波長が約２００ｎｍ〜３５０ｎｍの範囲に含まれる。発光素子４２は、殺菌効率の高い波長である２６０ｎｍ〜２７０ｎｍ付近の紫外光を発することが好ましい。このような紫外光ＬＥＤとして、例えば、窒化アルミニウムガリウム（ＡｌＧａＮ）を用いたものが知られている。
【００２４】
発光素子４２は、所定の指向角または配光角を有するＬＥＤであり、例えば、配光角（全角値）が１２０度以上となる広配光角のＬＥＤである。このような発光素子４２として、出力強度の高い表面実装（ＳＭＤ；surface mount device)型のＬＥＤが挙げられる。発光素子４２は、直管２０の中心軸上に配置され、窓部２８と対向するように基板４４に取り付けられる。基板４４は、熱伝導性の高い部材で構成され、例えば、銅（Ｃｕ）やアルミニウム（Ａｌ）などがベース材料として用いられる。発光素子４２が発する熱は、基板４４を通じて放熱される。
【００２５】
図２は、流路１２内の紫外光強度分布を示すコンター図である。発光素子４２は、所定の配光角を有する紫外光を照射するため、中央付近の紫外光強度がその周囲の紫外光強度よりも高い強度分布となる。その結果、直管２０の内部における紫外光の強度分布は、長手方向と直交する流路１２の断面視において、中心軸付近の紫外光強度が高く、内壁面２０ａ付近の紫外光強度が低くなる。
【００２６】
以上の構成により、流体殺菌装置１０は、直管２０の内部を流れる流体に紫外光を照射して流体に殺菌処理を施す。光源４０からの紫外光は、直管２０の中央付近の強度が高く、直管２０の内壁面２０ａ付近の強度が低くなるように照射される。流路１２を流れる流体は、中央付近の流速ｖ１が速く、内壁面２０ａ付近の流速ｖ２が遅くなる層流状態となるようにして流される。その結果、層流状態となって直管２０を通過する流体に作用する紫外光のエネルギー量を流体が通過する径方向の位置によらずに均一化できる。これにより、直管２０を流れる流体の全体に対して所定以上のエネルギー量の紫外光を照射することができ、流体全体に対する殺菌効果を高めることができる。
【００２７】
つづいて、流体殺菌装置１０の効果について比較例を参照しながら説明する。図３は、乱流状態の流体の速度分布を示すコンター図であり、レイノルズ数Ｒｅ＝４９６１となる条件下で直管２０に流体を流した場合の速度分布を示す。図示する例では、内壁面２０ａ付近の一部分の流速が最も速く、中央付近の流速が負の値となる状態を示すが、流体の速度分布は一定ではなく時間とともに随時変化する。このような乱流状態となる条件下において、流体として大腸菌を含む菌液を流したところ、通過後の流体に含まれる大腸菌の生存率が０．５３％であった。
【００２８】
図４は、層流状態の流体の速度分布を示すコンター図であり、レイノルズ数Ｒｅ＝２２７９となる条件下で直管２０に流体を流した場合の速度分布を示す。図示する例では、流速が最も高い箇所が右上の方にずれているが、概ね中央付近の流速が速く、内壁面２０ａ付近の流速が遅い流速分布となっている。このような層流状態となる条件下にて大腸菌を含む菌液を流したところ、通過後の流体に含まれる大腸菌の生存率が０．０７％となった。これらの結果から、乱流状態と比べて層流状態では約７倍の殺菌効果が得られることがわかった。このように、本実施の形態によれば、層流状態の流体に対して層流状態の流速分布に対応した強度分布の紫外光を照射することできるため、流体に対する殺菌効率を向上させることができる。
【００２９】
また、本実施の形態によれば、直管２０の中心軸上に流入口２３と光源４０が配置されるため、光源４０からの紫外光が照射される方向に流体のスムーズな流れを作ることができる。また、流入口２３を光源４０と反対側の位置に設けることで直管２０を進んでいくことで乱れの少ない層流状態となった流体に強度の高い紫外光を照射できる。これにより、紫外光強度の低い箇所を流体の一部が高速で通過したり、紫外光強度の高い箇所で流体の一部が渦となって滞留したりして照射される紫外光のエネルギー量にムラが生じ、殺菌効果が低下する影響を抑えることができる。
【００３０】
図５は、変形例に係る光源１４０の構成を概略的に示す正面図である。光源１４０は、複数の発光素子１４２ａ，１４２ｂと、基板１４４とを有する。光源１４０は、基板１４４の中央領域Ｃ１に密集して配置される複数の第１発光素子１４２ａと、基板１４４の周縁領域Ｃ２に点在して配置される複数の第２発光素子１４２ｂとを有する。第１発光素子１４２ａおよび第２発光素子１４２ｂは、上述の発光素子４２と同様に構成される。
【００３１】
光源１４０は、中央領域Ｃ１に第１発光素子１４２ａが密集して配置されるため、中央領域Ｃ１において相対的に強度の高い紫外光を出力する。一方、周縁領域Ｃ２には第２発光素子１４２ｂがまだらに配置されるため、周縁領域Ｃ２において相対的に強度の低い紫外光を出力する。したがって、本変形例に係る光源１４０を上述の流体殺菌装置１０に適用することで、直管２０の直径ｄを大きくして処理流量を増やす場合であっても、中央付近の紫外光強度が高く、内壁面２０ａ付近の紫外光強度が低い強度分布の紫外光を照射できる。
【００３２】
（第２の実施の形態）
図６および図７は、第２の実施の形態に係る流体殺菌装置２１０の構成を概略的に示す断面図であり、図７は、図６のＡ−Ａ線断面に対応する。流体殺菌装置２１０は、直管２２０と、流入管２３１と、流出管２３２と、複数の第１光源２４０ａと、複数の第２光源２４０ｂとを備える。流体殺菌装置２１０は、流入管２３１および流出管２３２が直管２２０の中心軸上に配置され、Ｌ字状ではなく直線状の流路２１２が構成される点で上述の第１の実施の形態と相違する。以下、本実施の形態について第１の実施の形態との相違点を中心に述べる。
【００３３】
直管２２０は、第１端部２２１から第２端部２２２に向けて延在する。第１端部２２１には、直管２２０の長手方向と直交する第１端面２２１ａと、第１端面２２１ａの中央付近に位置する流入口２２３とが設けられる。第１端面２２１ａには、第１光源２４０ａからの紫外光を透過させるための複数の第１窓部２２７が設けられる。流入口２２３には、直管２２０の長手方向に延びる流入管２３１が取り付けられている。流入管２３１は、直管２２０の長手方向に流体を流入させ、流路２１２内の流れに乱れが生じるのを抑える。
【００３４】
第２端部２２２は、第１端部２２１と同様に構成されている。第２端部２２２には、直管２２０の長手方向と直交する第２端面２２２ａと、第２端面２２２ａの中央付近に位置する流出口２２４とが設けられる。第２端面２２２ａには、第２光源２４０ｂからの紫外光を透過させるための複数の第２窓部２２８が設けられる。流出口２２４には、直管２２０の長手方向に延びる流出管２３２が取り付けられている。流出管２３２は、直管２２０の長手方向に流体を流出させ、流路２１２内の流れに乱れが生じるのを抑える。
【００３５】
第１光源２４０ａは、複数の第１発光素子２４２ａと、複数の第１基板２４４ａとを有する。複数の第１発光素子２４２ａは、図７に示されるように、流入口２２３を囲むように四方に配置され、第１基板２４４ａに取り付けられる。複数の第１発光素子２４２ａのそれぞれは、対応する第１窓部２２７を通じて直管２２０の内部に向けて直管２２０の長手方向に紫外光を照射する。
【００３６】
図示する例では、第１発光素子２４２ａが四箇所に設けられる場合を示しているが、第１発光素子２４２ａは三箇所以下に設けられてもよいし、五箇所以上に設けられてもよい。なお、複数の第１発光素子２４２ａは、流路２１２を流れる流体全体に紫外光を照射できるように、等間隔に配置されることが好ましい。流入口２２３を囲むようにして複数の第１発光素子２４２ａを等間隔に配置することで、第１光源２４０ａは、直管２２０の中央付近の紫外強度が高く、直管２２０の内壁面２２０ａ付近の紫外強度が低くなるような強度分布の紫外光を照射できる。
【００３７】
第２光源２４０ｂは、複数の第２発光素子２４２ｂと、複数の第２基板２４４ｂとを有し、第１光源２４０ａと同様に構成される。複数の第２発光素子２４２ｂは、流出口２２４を囲むように四方に配置され、第２基板２４４ｂに取り付けられる。複数の第２発光素子２４２ｂのそれぞれは、対応する第２窓部２２８を通じて直管２２０の内部に向けて直管２２０の長手方向に紫外光を照射する。第２光源２４０ｂは、第１光源２４０ａと同様、直管２２０の中央付近の紫外強度が高く、直管２２０の内壁面２２０ａ付近の紫外強度が低くなるような強度分布の紫外光を照射する。
【００３８】
直管２２０の内径および流路１１２を流れる流体の平均流速は、流路２１２を流れる流体が層流状態となるように調整される。その結果、直管２２０の中心軸の近傍を流れる流体の流速が相対的に速く、直管２２０の内壁面２２０ａの近傍を流れる流体の流速が相対的に遅い流速分布となる。このような速度分布を有する流体に対して、第１光源２４０ａおよび第２光源２４０ｂから直管２２０の中央付近の紫外強度が高く、内壁面２２０ａ付近の紫外強度が低い強度分布の紫外光が照射される。したがって、本実施の形態においても、層流状態の流体に対して層流状態の流速分布に対応した強度分布の紫外光を照射することで、流体に対する殺菌効率を向上させることができる。
【００３９】
また、本実施の形態によれば、直管２２０の中心軸上に流入口２２３と流出口２２４が配置されるため、流路２１２を流れる流体に乱れや渦が生じるのを抑えることができる。また、流入口２２３と流出口２２４の双方に光源２４０ａ，２４０ｂを配置しているため、いずれか一方のみから紫外光を照射する場合よりも流体に作用する紫外光のエネルギー量を増やして流体に対する殺菌効率を向上させることができる。
【００４０】
なお、変形例においては、流入口２２３と流出口２２４のいずれか一方のみに光源を配置してもよい。また、光源２４０ａ，２４０ｂは、直管２２０の内部に設けられてもよい。直管２２０の内部に光源２４０ａ，２４０ｂを設ける場合、光源２４０ａ，２４０ｂは、直管２２０の端面２２１ａ，２２２ｂに取り付けられるとともに、流路２１２を流れる流体に直接触れないように紫外光を透過するカバー部材等が設けられる。
【００４１】
以上、本発明を実施の形態にもとづいて説明した。本発明は上記実施の形態に限定されず、種々の設計変更が可能であり、様々な変形例が可能であること、またそうした変形例も本発明の範囲にあることは、当業者に理解されるところである。
【００４２】
上述の実施の形態に係る流体殺菌装置１０は、流体に紫外光を照射して殺菌処理を施すための装置として説明した。変形例においては、紫外光の照射により流体に含まれる有機物を分解させる浄化処理に本流体殺菌装置を用いてもよい。
【００４３】
変形例においては、上述の直管で構成される流路の途中、流入口または流入口よりも上流の位置に整流板が設けられてもよい。この整流板は、流路を流れる流体の流れを整えて層流化させる機能を有してもよい。整流板を設けることで、より乱れの少ない層流状態を形成して殺菌効果を高めることができる。
【００４４】
変形例において、光源は、発光素子が発する紫外光の強度分布を調整するための調整機構を有してもよい。調整機構は、レンズなどの透過型の光学素子や、凹面鏡などの反射型の光学素子を含んでもよい。調整機構は、発光素子からの紫外光の強度分布を調整することにより、光源から出力される紫外光の強度分布が層流状態の速度分布に対応した形状となるようにしてもよい。このような調整機構を設けることで、流体の流れの態様に適した強度分布の紫外光を照射することができ、殺菌効率をより高めることができる。
【符号の説明】
【００４５】
１０…流体殺菌装置、１２…流路、２０…直管、２１…第１端部、２２…第２端部、２３…流入口、２４…流出口、４０…光源、４２…発光素子、１４０…光源、２１０…流体殺菌装置、２１２…流路、２２０…直管、２２１…第１端部、２２２…第２端部、２２３…流入口、２２４…流出口、２４０ａ…第１光源、２４０ｂ…第２光源。
【図１】
2017074114.tif 000003
【図５】
2017074114.tif 000004
【図６】
2017074114.tif 000005
【図７】
2017074114.tif 000006
【図２】
2017074114.tif 000007
【図３】
2017074114.tif 000008
【図４】
2017074114.tif 000009
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
長手方向に延びる流路を構成する直管と、
前記流路を層流状態で流れる流体に向けて前記長手方向に紫外光を照射する光源と、を備え、
前記流路内の流体は、前記長手方向と直交する前記流路の断面において中央付近の流速がその周囲の流速よりも大きい流速分布を有しており、
前記光源は、紫外光を発する発光素子を有し、前記長手方向と直交する前記流路の断面において中央付近の紫外光強度がその周囲の紫外光強度よりも高い強度分布であって前記流速分布に対応した強度分布となるように紫外光を照射することを特徴とする流体殺菌装置。
【請求項２】
前記光源は、紫外光を発する複数の発光素子を有し、前記流路の中央付近に対応する中央領域に配置される発光素子の単位面積あたりの個数が、前記中央領域の外側である外縁領域に配置される発光素子の単位面積あたりの個数より多くなるように構成されることを特徴とする請求項１に記載の流体殺菌装置。
【請求項３】
前記直管は、前記長手方向に流体を流入させる流入口が設けられる第１端部と、前記第１端部と反対側の第２端部と、を有し、
前記光源は、前記第２端部に配置されることを特徴とする請求項１または２に記載の流体殺菌装置。
【請求項４】
前記光源および前記流入口は、前記直管の中心軸上に配置されることを特徴とする請求項３に記載の流体殺菌装置。
【請求項５】
前記直管は、前記第２端部に設けられ、前記長手方向と交差する方向に流体を流出させる流出口を有することを特徴とする請求項３または４に記載の流体殺菌装置。
【請求項６】
前記直管は、前記第２端部に設けられ、前記長手方向に流体を流出させる流出口を有し、
前記光源は、前記流出口を囲むように配置される複数の発光素子を有し、
前記複数の発光素子は、前記流路を流れる流体に向けて前記長手方向に紫外光を照射することを特徴とする請求項３に記載の流体殺菌装置。
【請求項７】
前記長手方向と直交する前記流路の断面において中央付近の流速がその周囲の流速よりも大きい流速分布を有するように前記流路を流れる流体を層流化するための整流板をさらに備えることを特徴とする請求項１から６のいずれか一項に記載の流体殺菌装置。
【請求項８】
長手方向に延びる流路を構成する直管の内部に、前記長手方向と直交する前記流路の断面において中央付近の流速がその周囲の流速よりも大きい流速分布を有するような層流状態の流体の流れを作りながら、前記長手方向と直交する前記流路の断面において中央付近の紫外光強度がその周囲の紫外光強度よりも高い強度分布であって、前記流速分布に対応した強度分布となるように前記流路を層流状態で流れる流体に向けて前記長手方向に紫外光を照射することを特徴とする流体殺菌方法。